【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
データオブジェクト情報処理システムであって、
事前設定の規則に従って、条件を満たす複数の注文を同じウェーブに結合するように構成された注文処理サブシステムと、
対応する品物が位置する相異なる第１の作業領域に従って、前記同じウェーブの前記様々な注文に含まれるデータオブジェクトを分類し、その分類結果に従って、複数の第１の作業タスクを生成し、且つそれらを対応する第１の作業実行サブシステムに割り当てるように構成された第１の作業タスク生成サブシステムと、
現在の第１の作業タスクが完了されたこと及び第１の作業容器が吊りチェーンから吊り下げられたことを示すメッセージが受信された後で、前記現在の第１の作業タスクのタスク識別子、及び前記現在の第１の作業タスクが属する前記ウェーブのウェーブ識別子を吊りチェーン搬送サブシステムに通知するように構成された前記第１の作業実行サブシステムであって、前記現在の第１の作業タスクに対応する品物が前記第１の作業容器に含まれる、第１の作業実行サブシステムと、
複数の第１の作業領域及び複数の第２の作業領域を含むオフラインストアに配置される前記吊りチェーン搬送サブシステムであって、前記吊りチェーン搬送サブシステムが、制御コンポーネント及び搬送軌道を含み、前記搬送軌道が、前記第１の作業領域及び前記第２の作業領域を接続するように構成され、前記制御コンポーネントが、通知メッセージが前記第１の作業実行サブシステムから受信された後で、前記ウェーブ識別子に従って第２の作業領域を割り当てるように構成され、前記同じウェーブの前記様々な第１の作業タスクが、同じ前記第２の作業領域に対応し、搬送命令が、前記対応する第２の作業領域に前記第１の作業容器を搬送するために、前記割り当て結果に従って前記搬送軌道に送信される、吊りチェーン搬送サブシステムと、
を含むデータオブジェクト情報処理システム。
【請求項２】
第２の作業実行サブシステムを更に含み、
前記吊りチェーン搬送サブシステムが、前記ウェーブ識別子と第２の作業領域の識別子との間の対応関係を前記第２の作業実行サブシステムに提供するように更に構成され、
前記第２の作業実行サブシステムが、前記ウェーブ識別子に従って、第２の作業タスクを生成し、且つ前記第２の作業領域の識別子の対応するプロンプト情報を提供するように構成される、請求項１に記載のシステム。
【請求項３】
前記第１の作業容器の外面に、グラフィックコード情報が設けられ、
前記第１の作業実行サブシステムが、容器識別子を取得するために前記グラフィックコード識別子を走査して識別し、前記ウェーブ識別子と、前記第１の作業タスクの前記識別子と、前記容器識別子との間の対応関係を確立し、且つ前記吊りチェーン搬送サブシステムに前記対応関係を提供するように更に構成され、前記吊りチェーン搬送サブシステムの前記制御コンポーネントが、前記ウェーブ識別子に従って前記第２の作業領域を割り当てた後で、前記ウェーブ識別子と、前記第１の作業タスクの前記識別子と、前記容器識別子と、前記第２の作業領域との間の対応関係を格納する、請求項１に記載のシステム。
【請求項４】
前記搬送軌道が、幹線、複数の第１のブランチ、及び複数の第２のブランチを含み、各第１のブランチの１つの端部が、前記第１の作業領域の１つに位置し、もう一方の端部が、前記幹線に接続され、各第２のブランチの１つの端部が、前記第２の作業領域の１つに位置し、もう一方の端部が、前記幹線に接続され、
前記吊りチェーン搬送サブシステムが、前記幹線及び各第２のブランチの連結点に位置するコード走査装置であって、その走査範囲に入る第１の作業容器の前記外面上のグラフィックコードを走査し、前記容器識別子を識別し、且つそれを前記制御コンポーネントに提供するように構成されるコード走査装置を更に含み、前記制御コンポーネントが、前記識別された容器識別子に従って、前記容器識別子に対応する前記第２の作業領域を決定し、且つ制御命令を前記搬送軌道に送信し、前記搬送軌道が、前記第２の作業領域に対応する第２のブランチに前記容器を移送する、請求項３に記載のシステム。
【請求項５】
第２の作業実行サブシステムを更に含み、
前記吊りチェーン搬送サブシステムにおける前記制御コンポーネントが、前記ウェーブ識別子と、前記第１の作業タスクの前記識別子と、前記容器識別子と、前記第２の作業領域との間の前記対応関係を前記第２の作業実行サブシステムに提供するように更に構成され、
前記第２の作業実行サブシステムが、前記ウェーブにおける前記第１の作業タスクの完了を確認するために、前記第２の作業領域に搬送された前記第１の作業容器の前記グラフィックコードを走査し、且つその走査結果に従って、前記対応するウェーブ識別子及び前記第１の作業タスクの前記識別子を判定するように構成される、請求項３に記載のシステム。
【請求項６】
前記第２の作業実行サブシステムが、前記同じウェーブにおける前記様々な第１の作業タスクの完了が確認された後で、外部への配送情報を生成するように更に構成される、請求項５に記載のシステム。
【請求項７】
例外管理サブシステム及び前記第２の作業実行サブシステムを更に含み、
前記吊りチェーン搬送サブシステムにおける前記制御コンポーネントが、前記ウェーブ識別子に従って前記第２の作業領域を割り当てた後で、前記ウェーブ識別子と、前記第１の作業タスクの前記識別子と、前記容器識別子と、前記第２の作業領域との間の前記対応関係を記憶用に前記例外管理サブシステムに提供するように更に構成され、
前記第２の作業実行サブシステムが、ウェーブにおけるターゲットの第１の作業タスクに対応する第１の作業容器が、事前設定の時間内に前記第２の作業領域に搬送されない場合に、例外用の問い合わせ要求を前記例外管理サブシステムに送信するように更に構成され、
前記例外管理サブシステムが、前記例外用の前記問い合わせ要求が受信された場合に、前記格納された割り当て結果に従って問い合わせ結果を提供するように構成される、請求項３に記載のシステム。
【請求項８】
前記例外管理サブシステムが、前記ターゲットの第１の作業タスクに対応する前記第２の作業領域の割り当て情報が、前記割り当て結果に存在しない場合に、前記第１の作業タスクが完了されなかったというプロンプトを問い合わせ結果に与えるように特に構成される、請求項７に記載のシステム。
【請求項９】
前記例外管理サブシステムが、前記ターゲットの第１の作業タスクに対応する前記第２の作業領域の割り当て情報が、前記割り当て結果に存在するが、当該第２の作業領域が、前記ターゲットの第１の作業タスクが属する前記ウェーブにおける他の第１の作業タスクに対応する前記第２の作業領域とは異なる場合に、前記問い合わせ結果において、前記ターゲットの第１の作業タスクに対応する前記第２の作業領域を提供するように特に構成される、請求項７に記載のシステム。
【請求項１０】
データオブジェクト情報処理方法であって、
第１の作業タスク生成サブシステムが、作業保留のウェーブ情報を受信することであって、事前設定の条件を満たす複数の注文が、同じウェーブに結合されることと、
対応する品物が位置する相異なる第１の作業領域に従って、前記同じウェーブの前記様々な注文に含まれるデータオブジェクトを分類することと、
その分類結果に従って複数の第１の作業タスクを生成することと、それらを対応する第１の作業実行サブシステムに割り当てることと、前記第１の作業タスクが完了されたこと及び第１の作業容器が吊りチェーンから吊り下げられたことを示すメッセージが受信された後で、現在の第１の作業タスクのタスク識別子、及び現在の第１の作業タスクが属する前記ウェーブのウェーブ識別子を前記第１の作業実行サブシステムによって吊りチェーン搬送サブシステムに通知することと、前記同じウェーブの前記様々な第１の作業タスクに対応する第１の作業容器を同じ第２の作業領域に前記吊りチェーン搬送サブシステムによって搬送することとであって、前記吊りチェーン搬送サブシステムが、複数の第１の作業領域及び複数の第２の作業領域を含むオフラインストアに配置され、前記吊りチェーン搬送サブシステムが、制御コンポーネントと、前記様々な第１の作業領域及び前記様々な第２の作業領域を接続するように構成された搬送軌道と、を含むことと、
を含むデータオブジェクト情報処理方法。
【請求項１１】
データオブジェクト情報処理方法であって、
第１の作業実行サブシステムによって第１の作業タスクを受信することであって、前記第１の作業タスクが、同じウェーブから分解された複数の第１の作業タスクのうちの１つであり、前記同じウェーブが、条件を満たす複数の注文に対応することと、
前記第１の作業タスクが完了されたこと及び対応する第１の作業容器が吊りチェーンから吊り下げられたことを示すメッセージが受信された後で、前記第１の作業タスクのタスク識別子、及び前記第１の作業タスクが属する前記ウェーブのウェーブ識別子を吊りチェーン搬送サブシステムに通知することと、前記同じウェーブの前記様々な第１の作業タスクに対応する第１の作業容器を同じ第２の作業領域に前記吊りチェーン搬送サブシステムによって搬送することとであって、前記吊りチェーン搬送サブシステムが、複数の第１の作業領域及び複数の第２の作業領域を含むオフラインストアに配置され、前記吊りチェーン搬送サブシステムが、制御コンポーネントと、前記様々な第１の作業領域及び前記様々な第２の作業領域を接続するように構成された搬送軌道と、を含むことと、
を含むデータオブジェクト情報処理方法。
【請求項１２】
前記第１の作業容器の外面に、グラフィックコード識別子が設けられ、
前記方法が、
容器識別子を取得するために、前記グラフィックコード識別子を走査して識別し、前記ウェーブ識別子と、前記第１の作業タスクの前記識別子と、前記容器識別子との間の対応関係を確立し、前記対応関係を前記吊りチェーン搬送サブシステムに提供することと；
前記ウェーブ識別子に従って前記第２の作業領域を割り当てた後で、前記ウェーブ識別子と、前記第１の作業タスクの前記識別子と、前記容器識別子と、前記第２の作業領域との間の対応関係を前記吊りチェーン搬送サブシステムの前記制御コンポーネントによって格納することと、
を更に含む、請求項１１に記載の方法。
【請求項１３】
データオブジェクト情報処理方法であって、
第１の作業実行サブシステムによって提供される、第１の作業タスクが完了されたこと及び第１の作業容器が搬送軌道から吊り下げられたことを示す通知メッセージを、吊りチェーン搬送サブシステムによって受信することであって、前記吊りチェーン搬送サブシステムが、複数の第１の作業領域及び複数の第２の作業領域を含むオフラインストアに配置され、前記吊りチェーン搬送サブシステムが、制御コンポーネントと、前記様々な第１の作業領域及び前記様々な第２の作業領域を接続するように構成された前記搬送軌道と、を含むことと、
前記第１の作業タスクが属するウェーブの識別子に従って、第２の作業領域を割り当てることであって、同じウェーブの前記様々な第１の作業タスクが、同じ第２の作業領域に対応し、前記同じウェーブが、条件を満たす複数の注文に対応し、且つ複数の第１の作業タスクに分解されることと、
その割り当て結果に従って、搬送命令を前記搬送軌道に送信し、その結果、前記第１の作業容器が、前記対応する第２の作業領域に搬送されることと、
を含むデータオブジェクト情報処理方法。
【請求項１４】
前記第１の作業タスクが属する前記ウェーブの前記識別子に基づく第２の作業領域の前記割り当てが、
前記通知メッセージが受信された後で、前記通知メッセージに関係する前記第１の作業タスクが属する前記ウェーブの前記識別子を決定することと、
第２の作業領域が、前記ウェーブ識別子用に割り当てられたかどうかを判断することと、
肯定の場合に、前記割り当て結果に従って、現在の第１の作業タスクに対応する前記第２の作業領域を決定することと、
そうでない場合に、前記ウェーブ用に前記第２の作業領域を割り当て、前記ウェーブ識別子と前記第２の作業領域の前記識別子との間の対応関係を格納することと、
を含む、請求項１３に記載の方法。
【請求項１５】
前記ウェーブ識別子に従って、前記第２の作業領域を割り当てた後で、割り当て結果情報を記憶用に例外管理サブシステムに提供し、例外が発生した場合には、前記例外管理サブシステムによって前記例外の原因を問い合わせること
を更に含む、請求項１３に記載の方法。
【請求項１６】
第１の作業タスク生成サブシステムに適用されるデータオブジェクト情報処理機器であって、
作業保留のウェーブ情報を受信するように構成されたウェーブ情報受信ユニットであって、事前設定の条件を満たす複数の注文が同じウェーブに結合される、ウェーブ情報受信ユニットと、
対応する品物が位置する相異なる第１の作業領域に従って、前記同じウェーブの前記様々な注文に含まれるデータオブジェクトを分類するように構成された分類ユニットと、
その分類結果に従って、複数の第１の作業タスクを生成し、且つそれらを対応する第１の作業実行サブシステムに割り当てるように構成されたタスク生成ユニットであって、第１の作業タスクが完了されたこと及び第１の作業容器が吊りチェーンから吊り下げられたことを示すメッセージが受信された後で、前記第１の作業実行サブシステムが、現在の第１の作業タスクのタスク識別子、及び前記現在の第１の作業タスクが属するウェーブのウェーブ識別子を吊りチェーン搬送サブシステムに通知し、前記吊りチェーン搬送サブシステムが、前記同じウェーブの前記様々な第１の作業タスクに対応する第１の作業容器を同じ第２の作業領域に搬送し、前記吊りチェーン搬送サブシステムが、複数の第１の作業領域及び複数の第２の作業領域を含むオフラインストアに配置され、前記吊りチェーン搬送サブシステムが、制御コンポーネントと、前記様々な第１の作業領域及び前記様々な第２の作業領域を接続するように構成された搬送軌道とを含む、タスク生成ユニットと、
を含むデータオブジェクト情報処理機器。
【請求項１７】
第１の作業実行サブシステムに適用されるデータオブジェクト情報処理機器であって、
第１の作業タスクを受信するように構成されたタスク受信ユニットであって、前記第１の作業タスクが、同じウェーブから分解された複数の第１の作業タスクのうちの１つであり、前記同じウェーブが、条件を満たす複数の注文に対応する、タスク受信ユニットと、
前記第１の作業タスクが完了されたこと及び対応する第１の作業容器が吊りチェーンから吊り下げられたことを示すメッセージが受信された後で、前記第１の作業タスクのタスク識別子、及び前記第１の作業タスクが属するウェーブのウェーブ識別子を吊りチェーン搬送サブシステムに通知するように構成された通知ユニットであって、前記吊りチェーン搬送サブシステムが、前記同じウェーブの前記様々な第１の作業タスクに対応する第１の作業容器を同じ第２の作業領域に搬送し、前記吊りチェーン搬送サブシステムが、複数の第１の作業領域及び複数の第２の作業領域を含むオフラインストアに配置され、前記吊りチェーン搬送サブシステムが、制御コンポーネントと、前記第１の作業領域及び前記第２の作業領域を接続するように構成された搬送軌道とを含む、通知ユニットと、
を含むデータオブジェクト情報処理機器。
【請求項１８】
吊りチェーン搬送サブシステムに適用されるデータオブジェクト情報処理機器であって、
第１の作業実行サブシステムによって提供される、第１の作業タスクが完了されたこと及び第１の作業容器が搬送軌道から吊り下げられたことを示す通知メッセージを受信するように構成された通知メッセージ受信ユニットであって、前記吊りチェーン搬送サブシステムが、複数の第１の作業領域及び複数の第２の作業領域を含むオフラインストアに配置され、前記吊りチェーン搬送サブシステムが、制御コンポーネントと、前記様々な第１の作業領域及び前記様々な第２の作業領域を接続するように構成された搬送軌道とを含む、
通知メッセージ受信ユニットと、
前記第１の作業タスクが属するウェーブの識別子に従って、第２の作業領域を割り当てるように構成された領域割り当てユニットであって、同じウェーブの前記様々な第１の作業タスクが、同じ第２の作業領域に対応し、前記同じウェーブが、条件を満たす複数の注文に対応し、且つ複数の第１の作業タスクに分解される、領域割り当てユニットと、
その割り当て結果に従って、搬送命令を前記搬送軌道に送信し、その結果、前記第１の作業容器が、前記対応する第２の作業領域に搬送されるように構成された搬送命令送信ユニットと、
を含むデータオブジェクト情報処理機器。
【請求項１９】
一組の命令を記憶する非一時的コンピュータ可読媒体であって、前記一組の命令は、コンピュータにデータオブジェクト情報処理方法を実行させるように、前記コンピュータの少なくとも１つのプロセッサによって実行可能であり、前記方法は、
第１の作業タスク生成サブシステムが、作業保留のウェーブ情報を受信することであって、事前設定の条件を満たす複数の注文が、同じウェーブに結合されることと、
対応する品物が位置する相異なる第１の作業領域に従って、前記同じウェーブの前記様々な注文に含まれるデータオブジェクトを分類することと、
その分類結果に従って複数の第１の作業タスクを生成することと、それらを対応する第１の作業実行サブシステムに割り当てることと、前記第１の作業タスクが完了されたこと及び第１の作業容器が吊りチェーンから吊り下げられたことを示すメッセージが受信された後で、現在の第１の作業タスクのタスク識別子、及び現在の第１の作業タスクが属する前記ウェーブのウェーブ識別子を前記第１の作業実行サブシステムによって吊りチェーン搬送サブシステムに通知することと、前記同じウェーブの前記様々な第１の作業タスクに対応する第１の作業容器を同じ第２の作業領域に前記吊りチェーン搬送サブシステムによって搬送することとであって、前記吊りチェーン搬送サブシステムが、複数の第１の作業領域及び複数の第２の作業領域を含むオフラインストアに配置され、前記吊りチェーン搬送サブシステムが、制御コンポーネントと、前記様々な第１の作業領域及び前記様々な第２の作業領域を接続するように構成された搬送軌道と、を含むことと、
を含む、非一時的コンピュータ可読媒体。
【請求項２０】
一組の命令を記憶する非一時的コンピュータ可読媒体であって、前記一組の命令は、コンピュータにデータオブジェクト情報処理方法を実行させるように、前記コンピュータの少なくとも１つのプロセッサによって実行可能であり、前記方法は、
第１の作業実行サブシステムによって第１の作業タスクを受信することであって、前記第１の作業タスクが、同じウェーブから分解された複数の第１の作業タスクのうちの１つであり、前記同じウェーブが、条件を満たす複数の注文に対応することと、
前記第１の作業タスクが完了されたこと及び対応する第１の作業容器が吊りチェーンから吊り下げられたことを示すメッセージが受信された後で、前記第１の作業タスクのタスク識別子、及び前記第１の作業タスクが属する前記ウェーブのウェーブ識別子を吊りチェーン搬送サブシステムに通知することと、前記同じウェーブの前記様々な第１の作業タスクに対応する第１の作業容器を同じ第２の作業領域に前記吊りチェーン搬送サブシステムによって搬送することとであって、前記吊りチェーン搬送サブシステムが、複数の第１の作業領域及び複数の第２の作業領域を含むオフラインストアに配置され、前記吊りチェーン搬送サブシステムが、制御コンポーネントと、前記様々な第１の作業領域及び前記様々な第２の作業領域を接続するように構成された搬送軌道と、を含むことと、
を含む、非一時的コンピュータ可読媒体。
【請求項２１】
前記第１の作業容器の外面に、グラフィックコード識別子が設けられ、
前記少なくとも１つのプロセッサは、前記コンピュータに、
容器識別子を取得するために、前記グラフィックコード識別子を走査して識別し、前記ウェーブ識別子と、前記第１の作業タスクの前記識別子と、前記容器識別子との間の対応関係を確立し、前記対応関係を前記吊りチェーン搬送サブシステムに提供することと；
前記ウェーブ識別子に従って前記第２の作業領域を割り当てた後で、前記ウェーブ識別子と、前記第１の作業タスクの前記識別子と、前記容器識別子と、前記第２の作業領域との間の対応関係を前記吊りチェーン搬送サブシステムの前記制御コンポーネントによって格納することと、
を更に実行させるように、前記一組の命令を実行可能に構成される、請求項２０に記載の非一時的コンピュータ可読媒体。
【請求項２２】
一組の命令を記憶する非一時的コンピュータ可読媒体であって、前記一組の命令は、コンピュータにデータオブジェクト情報処理方法を実行させるように、前記コンピュータの少なくとも１つのプロセッサによって実行可能であり、前記方法は、
第１の作業実行サブシステムによって提供される、第１の作業タスクが完了されたこと及び第１の作業容器が搬送軌道から吊り下げられたことを示す通知メッセージを、吊りチェーン搬送サブシステムによって受信することであって、前記吊りチェーン搬送サブシステムが、複数の第１の作業領域及び複数の第２の作業領域を含むオフラインストアに配置され、前記吊りチェーン搬送サブシステムが、制御コンポーネントと、前記様々な第１の作業領域及び前記様々な第２の作業領域を接続するように構成された前記搬送軌道と、を含むことと、
前記第１の作業タスクが属するウェーブの識別子に従って、第２の作業領域を割り当てることであって、同じウェーブの前記様々な第１の作業タスクが、同じ第２の作業領域に対応し、前記同じウェーブが、条件を満たす複数の注文に対応し、且つ複数の第１の作業タスクに分解されることと、
その割り当て結果に従って、搬送命令を前記搬送軌道に送信し、その結果、前記第１の作業容器が、前記対応する第２の作業領域に搬送されることと、
を含む、非一時的コンピュータ可読媒体。
【請求項２３】
前記第１の作業タスクが属する前記ウェーブの前記識別子に基づく第２の作業領域の前記割り当てが、
前記通知メッセージが受信された後で、前記通知メッセージに関係する前記第１の作業タスクが属する前記ウェーブの前記識別子を決定することと、
第２の作業領域が、前記ウェーブ識別子用に割り当てられたかどうかを判断することと、
肯定の場合に、前記割り当て結果に従って、現在の第１の作業タスクに対応する前記第２の作業領域を決定することと、
そうでない場合に、前記ウェーブ用に前記第２の作業領域を割り当て、前記ウェーブ識別子と前記第２の作業領域の前記識別子との間の対応関係を格納することと、
を含む、請求項２２に記載の非一時的コンピュータ可読媒体。
【請求項２４】
前記少なくとも１つのプロセッサは、前記コンピュータに、
前記ウェーブ識別子に従って、前記第２の作業領域を割り当てた後で、割り当て結果情報を記憶用に例外管理サブシステムに提供し、例外が発生した場合には、前記例外管理サブシステムによって前記例外の原因を問い合わせること
を更に実行させるように、前記一組の命令を実行可能に構成される、請求項２２に記載の非一時的コンピュータ可読媒体。